(57)【要約】【課題】増毛用毛束の一端をタイトに確実に結束させることができ、この増毛用毛束を頭髪に容易かつ確実に取り付けることができる毛束の頭髪への取り付け方法を提供する。【解決手段】小径の結束熱収縮チューブ２内に増毛用の毛束３の一端を導入する毛束導入手段と、結束熱収縮チューブ２内に接着剤４を染み込ませて結束熱収縮チューブ２を加熱収縮して毛束３の一端を結束する結束手段と、大径の結合熱収縮チューブ５に頭髪６を挿通する頭髪挿通手段と、結合熱収縮チューブ５内に前記毛束３を結束した結束熱収縮チューブ２を挿通する結束熱収縮チューブ挿入手段と、結合熱収縮チューブ５内に結束熱収縮チューブ２を位置せしめると共に結合位置を調整する結合位置調整手段と、結合熱収縮チューブ５を加熱収縮して頭髪６に毛束３を結合させる結合手段とからなる毛束の頭髪への取り付け方法。【選択図】    図１
2004353119.tif 000002
【特許請求の範囲】
【請求項１】
小径の結束熱収縮チューブ内に増毛用の毛束の一端を導入する毛束導入手段と、結束熱収縮チューブ内に接着剤を染み込ませて結束熱収縮チューブを加熱収縮して毛束の一端を結束する結束手段と、大径の結合熱収縮チューブに頭髪を挿通する頭髪挿通手段と、結合熱収縮チューブ内に前記毛束を結束した結束熱収縮チューブを挿通する結束熱収縮チューブ挿入手段と、結合熱収縮チューブ内に結束熱収縮チューブを位置せしめると共に結合位置を調整する結合位置調整手段と、結合熱収縮チューブを加熱収縮して頭髪に毛束を結合させる結合手段とからなる毛束の頭髪への取り付け方法。
【請求項２】
請求項１に記載の毛束の頭髪への取り付け方法において、前記頭髪挿通手段の前に前記結束熱収縮チューブ挿入手段を行うようにした毛束の頭髪への取り付け方法。
【請求項３】
請求項１又は２に記載の毛束の頭髪への取り付け方法の毛束導入手段及び前記頭髪挿通手段において、結束熱収縮チューブ内への毛束の挿入又は結合熱収縮チューブ内への頭髪の挿入にフックを使用した毛束の頭髪への取り付け方法。
【請求項４】
請求項１乃至３のいずれかに記載の毛束の頭髪への取り付け方法において、結束熱収縮チューブ又は結合熱収縮チューブをドライヤー又はアイロンで加熱するようにした毛束の頭髪への取り付け方法。
【請求項５】
請求項１乃至４のいずれかに記載の毛束の頭髪への取り付け方法において、結合熱収縮チューブを耐熱温度以上に加熱して前記毛束を頭髪から取り外す取外し手段を付加可能にした毛束の頭髪への取り付け方法。
【発明の詳細な説明】
【０００１】
【発明の属する技術分野】
本発明は、頭髪に毛束を結合させるようにした毛束の頭髪への取り付け方法に関する。
【０００２】
【従来の技術】
従来、増毛用の毛束の一端を耐熱接着剤によって接合し、この接合部を熱硬化性の接着剤で覆い、次に、熱収縮チューブ内に頭髪を挿通し、増毛用の毛束の接合部を熱収縮チューブ内に挿入し過熱することにより、熱収縮チューブが収縮すると共に熱硬化性の接着剤が硬化して、増毛用の毛束を頭髪に結合させる毛束の頭髪への取り付け方法は知られている（例えば、特許文献１参照）。
また、適宜本数の基部を結束した増毛用の毛束をチューブ内に挿入し、楔体となる割溝を有する中筒又は締着具のバネリングをチューブ内に嵌脱自在に圧入して、毛束と頭髪を一体に緊締させる毛束の頭髪への取り付け方法も知られている（例えば、特許文献２参照）。
【０００３】
【特許文献１】
米国特許第５１０７８６７号明細書
【特許文献２】
特許第２９３１６９５号公報
【０００４】
【発明が解決しようとする課題】
しかし、特許文献１に示す毛束の頭髪への取り付け方法は、毛羽立った毛束を直接に耐熱接着剤で細く接合することが難しく、そのため、結束部が太くなり、毛束の頭髪への結合部も太くなる惧れがある。
また、熱硬化性の接着剤によって増毛用の毛束を頭髪に接着しているために、一度毛束を頭髪に取り付けると、頭髪から毛束を取り外すことが困難になるという課題があった。
また、特許文献２に示す毛束の頭髪への取り付け方法では、適宜本数の基部を結束した増毛用の毛束をチューブ内に挿入し、楔体となる割溝を有する中筒又は締着具のバネリングをチューブ内に嵌脱自在に圧入して、毛束と頭髪を一体に緊締させる作業が困難であると共に、確実な接合ができない惧れがあるという課題があった。
【０００５】
【課題を解決するための手段】
そこで、本発明は、小径の結束熱収縮チューブ内に増毛用の毛束の一端を導入する毛束導入手段と、結束熱収縮チューブ内に接着剤を染み込ませて結束熱収縮チューブを加熱収縮して毛束の一端を結束する結束手段と、大径の結合熱収縮チューブに頭髪を挿通する頭髪挿通手段と、結合熱収縮チューブ内に前記毛束を結束した結束熱収縮チューブを挿通する結束熱収縮チューブ挿入手段と、結合熱収縮チューブ内に結束熱収縮チューブを位置せしめると共に結合位置を調整する結合位置調整手段と、結合熱収縮チューブを加熱収縮して頭髪に毛束を結合させる結合手段とからなる毛束の頭髪への取り付け方法を提供するものである。
本発明によれば、毛束の一端を結束熱収縮チューブに入れてから接着剤を染み込ませるので、毛束への接着剤の塗布が容易になると共に、接着剤を染み込ませた結束熱収縮チューブを加熱収縮して毛束を結束するから、毛束の一端をタイトに確実に結束させることができる。従って、結合熱収縮チューブ内に結束熱収縮チューブを容易に挿通することができ、結合熱収縮チューブも毛束の結束部の径に比例して小型にできるから、毛束の頭髪への結合部を目立たなくすることができる。また、結合熱収縮チューブによって結束熱収縮チューブで結束した毛束を頭髪に結合するから、強固に結合することができる。
【０００６】
また、本発明は、請求項１に記載の毛束の頭髪への取り付け方法において、前記頭髪挿通手段の前に前記結束熱収縮チューブ挿入手段を行うようにした毛束の頭髪への取り付け方法を提供するものである。
本発明によれば、結合熱収縮チューブに頭髪を挿通する前に毛束を結束した結束熱収縮チューブを挿入するから、結合熱収縮チューブ内に結束熱収縮チューブを容易に挿通することができ、結合熱収縮チューブも毛束の結束部の径に比例して小型にできるから、毛束の頭髪への結合部を目立たなくすることができる。
【０００７】
また、本発明は、請求項１又は２に記載の毛束の頭髪への取り付け方法の毛束導入手段及び前記頭髪挿通手段において、結束熱収縮チューブ内への毛束の挿入又は結合熱収縮チューブ内への頭髪の挿入にフックを使用した毛束の頭髪への取り付け方法を提供するものである。
本発明によれば、フックによって、毛束を容易に結束熱収縮チューブに挿入させることができ、また、頭髪を容易に結合熱収縮チューブに挿入させることができる。
【０００８】
また、本発明は、請求項１乃至３のいずれかに記載の毛束の頭髪への取り付け方法において、結束熱収縮チューブ又は結合熱収縮チューブをドライヤー又はアイロンで加熱するようにした毛束の頭髪への取り付け方法を提供するものである。
本発明によれば、ドライヤー又はアイロンによって、結束熱収縮チューブ又は結合熱収縮チューブを容易に加熱し収縮させることができる。
【０００９】
また、本発明は、請求項１乃至４のいずれかに記載の毛束の頭髪への取り付け方法において、結合熱収縮チューブを耐熱温度以上に加熱して前記毛束を頭髪から取り外す取外し手段を付加可能にした毛束の頭髪への取り付け方法を提供するものである。
本発明によれば、結合熱収縮チューブを耐熱温度以上に加熱して破ることによって、結束熱収縮チューブで結束したままの毛束を容易に頭髪から取り外すことができ、取り外した毛束を再使用することができる。
【００１０】
【発明の実施の形態】
本発明の実施の形態を図示する実施例に基づいて説明する。
図１（ａ）に示すように、フック１を小径の結束熱収縮チューブ２に通し、増毛用の自毛又は人工毛からなる増毛用毛束３をフック１の引掛け部７に引っ掛け、図１（ｂ）に示すように、フック１を結束熱収縮チューブ２から引き抜くようにして、結束熱収縮チューブ２内に毛束３の一端を導入する。
図１（ｃ）に示すように、導入した毛束３を結束熱収縮チューブ２の端部において毛先を揃え、結束熱収縮チューブ２内の毛束３に接着剤４を染み込ませ、ドライヤー８で結束熱収縮チューブ２を加熱し、結束熱収縮チューブ２を収縮させ、同時に接着剤４により毛束３と結束熱収縮チューブ２とを一体に固めて、図１（ｄ）に示すように、毛束３の一端をタイトに結束する。
【００１１】
次に、図２に示す実施例の場合、図２（ａ）に示す如く、フック１を大径の結合熱収縮チューブ５に通し、フック１の引掛け部７に適宜分毛した頭髪６を引っ掛け、フック１を結合熱収縮チューブ５から引き抜くようにして、結合熱収縮チューブ５に頭髪６を挿通させる（図２（ｂ））。
図２（ｃ）に示すように、毛束３を先端の結束熱収縮チューブ２から結合熱収縮チューブ５に差し込んで挿通し、結合熱収縮チューブ５内に結束熱収縮チューブ２を位置せしめると共に、増毛位置に合うように頭髪６に対して結合熱収縮チューブ５、結束熱収縮チューブ２と共に毛束３の結合位置を調整する。そして、図２（ｄ）に示すように、ドライヤー８で結合熱収縮チューブ５を加熱すると、結合熱収縮チューブ５が収縮して頭髪６に毛束３を結合させることができる。
この図２に示す実施例の場合、結合熱収縮チューブ５内に沢山の頭髪６を豊かに導入することができる。
【００１２】
また、図３に示す実施例では、図３（ａ）に示すように、結束した毛束３を先端の結束熱収縮チューブ２から大径の結合熱収縮チューブ５内に差し込んで挿通する。次に、フック１を結合熱収縮チューブ５に通し、フック１の引掛け部７に適宜分毛した頭髪６を引っ掛け（図３（ｂ））、フック１を結合熱収縮チューブ５から引き抜くようにして、結合熱収縮チューブ５に頭髪６を挿通させる（図３（ｃ））。そして、増毛位置において、毛束３を結束した結束熱収縮チューブ２を結合熱収縮チューブ５内に位置せしめると共に、頭髪６に対して結合熱収縮チューブ５、結束熱収縮チューブ２と共に毛束３の結合位置を調整し、図３（ｄ）に示すように、ドライヤー８で結合熱収縮チューブ５を加熱することにより、結合熱収縮チューブ５が収縮して頭髪６に毛束３を結合させることもできる。
なお、結束熱収縮チューブ２及び結合熱収縮チューブ５の加熱手段は、実施例のようにドライヤーに限らず、アイロンで加熱することも可能である。
図３の実施例では、結合熱収縮チューブ５内に導入できる頭髪６の量は少なくなるが、毛束３の流れに沿って頭髪６を導入できるので仕上がりが良い。
【００１３】
次に、頭髪６に取り付けた毛束３を取り外す方法について説明する。
アイロンを結合熱収縮チューブ５の耐熱温度以上の約２００℃に加熱し、毛束３を軽く引っ張りながらアイロンで結合熱収縮チューブ５を加熱すると、結合熱収縮チューブ５が破れて、毛束３を頭髪６から取り外すことができる。取り外した毛束３は、図２又は図３に示す取り付け方法によって、繰り返し頭髪５に取り付けることができる。
【００１４】
【発明の効果】
以上の通り、本発明に係る毛束の頭髪への取り付け方法によれば、小径の結束熱収縮チューブ内に増毛用の毛束の一端を導入する毛束導入手段と、結束熱収縮チューブ内に接着剤を染み込ませて結束熱収縮チューブを加熱収縮して毛束の一端を結束する結束手段と、大径の結合熱収縮チューブに頭髪を挿通する頭髪挿通手段と、結合熱収縮チューブ内に前記毛束を結束した結束熱収縮チューブを挿通する結束熱収縮チューブ挿入手段と、結合熱収縮チューブ内に結束熱収縮チューブを位置せしめると共に結合位置を調整する結合位置調整手段と、結合熱収縮チューブを加熱収縮して頭髪に毛束を結合させる結合手段とからなる構成を有することにより、毛束の一端を結束熱収縮チューブに入れてから接着剤を染み込ませるので、毛束への接着剤の塗布が容易になると共に、接着剤を染み込ませた結束熱収縮チューブを加熱収縮して毛束を結束するから、毛束の一端をタイトに確実に結束させることができる。従って、結合熱収縮チューブ内に結束熱収縮チューブを容易に挿通することができ、結合熱収縮チューブも毛束の結束部の径に比例して小型にできるから、毛束の頭髪への結合部を目立たなくすることができる。また、結合熱収縮チューブによって結束熱収縮チューブで結束した毛束を頭髪に結合するから、強固に結合することができる効果がある。
【００１５】
また、本発明は、請求項１に記載の毛束の頭髪への取り付け方法において、前記頭髪挿通手段の前に前記結束熱収縮チューブ挿入手段を行うようにした構成を有することにより、結合熱収縮チューブに頭髪を挿通する前に毛束を結束した結束熱収縮チューブを挿入するから、結合熱収縮チューブ内に結束熱収縮チューブを容易に挿通することができ、結合熱収縮チューブも毛束の結束部の径に比例して小型にできるから、毛束の頭髪への結合部を目立たなくすることができる効果がある。
【００１６】
また、本発明は、請求項１又は２に記載の毛束の頭髪への取り付け方法の毛束導入手段及び前記頭髪挿通手段において、結束熱収縮チューブ内への毛束の挿入又は結合熱収縮チューブ内への頭髪の挿入にフックを使用した構成を有することにより、フックによって、毛束を容易に結束熱収縮チューブに挿入させることができ、また、頭髪を容易に結合熱収縮チューブに挿入させることができる効果がある。
【００１７】
また、本発明は、請求項１乃至３のいずれかに記載の毛束の頭髪への取り付け方法において、結束熱収縮チューブ又は結合熱収縮チューブをドライヤー又はアイロンで加熱するようにした構成を有することにより、ドライヤー又はアイロンによって、結束熱収縮チューブ又は結合熱収縮チューブを容易に加熱し収縮させることができる効果がある。
【００１８】
また、本発明は、請求項１乃至４のいずれかに記載の毛束の頭髪への取り付け方法において、結合熱収縮チューブを耐熱温度以上に加熱して前記毛束を頭髪から取り外す取外し手段を付加可能にした構成を有することにより、結合熱収縮チューブを耐熱温度以上に加熱して破ることによって、結束熱収縮チューブで結束したままの毛束を容易に頭髪から取り外すことができ、取り外した毛束を再使用することができる効果がある。
【図面の簡単な説明】
【図１】本発明毛束の頭髪への取り付け方法の一実施例を示す説明図
【図２】本発明毛束の頭髪への取り付け方法の一実施例を示す説明図
【図３】他の実施例を示す説明図
【符号の説明】
１  フック
２  結束熱収縮チューブ
３  毛束
４  接着剤
５  結合熱収縮チューブ
６  頭髪
７  引掛け部
８  ドライヤー
【図１】
2004353119.tif 000003
【図２】
2004353119.tif 000004
【図３】
2004353119.tif 000005